(57)【要約】【課題】イジェクト機構の構造を複雑にすることなく、ＩＣカードの形状の小型化に伴う不所望な飛び出しを確実に回避できること。【解決手段】金属製カバー部材１０のブレーキ片３０ｅａの真下の位置に、樹脂製のブレーキ片１２ＢＲが、ベース部材１２に形成されるもの。【選択図】図１
2007123185.tif 000002
【特許請求の範囲】
【請求項１】
ＩＣカードを選択的に収容する収容部、および、該ＩＣカードに電気的に接続されるコンタクト端子を有するハウジング部材と、
前記ＩＣカードを選択的に前記ハウジング部材の収容部から外部に排出するイジェクト機構と、
前記ハウジング部材に形成され、前記イジェクト機構により前記ＩＣカードが前記ハウジング部材の収容部から排出される状態のとき、該ＩＣカードの排出動作を制動させる互いに材質の異なる複数の制動片と、を備え、
前記イジェクト機構により前記ＩＣカードが排出される場合、前記複数の制動片が該ＩＣカードを互いに協働して挟持することを特徴とするＩＣカード用コネクタ。
【請求項２】
前記複数の制動片のうちの一方の制動片は、前記ハウジング部材における樹脂で成形されたベース部材に、挿入される前記ＩＣカードの幅方向に前記イジェクト機構に対して対向して形成され、前記複数の制動片のうちの他方の制動片は、前記ハウジング部材における金属製のカバー部材に、該一方の制動片に対向して形成されることを特徴とする請求項１記載のＩＣカード用コネクタ。
【発明の詳細な説明】
【技術分野】
【０００１】
本発明は、イジェクト機構により排出されるＩＣカードの排出動作を制動させるブレーキ片を有するＩＣカード用コネクタに関する。
【背景技術】
【０００２】
ＩＣカード用コネクタに備えられるイジェクト機構においては、特許文献１にも示されるように、縦長のＩＣカード自体が着脱方向に沿ってコイルスプリングの付勢力に抗して押圧操作されることによってＩＣカードが、イジェクト部材によりカード収容部内に保持され、一方、その装着されたＩＣカードがさらに同一の方向に押圧操作されるとき、そのイジェクタ部材が、コイルスプリングの復元力により、カード排出方向に移動せしめられることによってＩＣカードをカード収容部から排出する構成も実用に供されている。
【０００３】
このようなイジェクト機構は、例えば、特許文献１にも示されるように、イジェクタ部材と、そのイジェクタ部材を選択的に保持または解放する動作を制御するイジェクタ部材の動作制御部と、カード収容部を形成する外殻部とイジェクタ部材との間に配されイジェクタ部材をＩＣカードの排出方向に付勢するコイルスプリングとを主な要素として含んで構成されている。
【０００４】
このような構成において、ＩＣカードがイジェクト機構により排出される場合、ＩＣカードの排出速度は、そのコイルスプリングの弾性力（ばね定数）に応じたものとなる。
【０００５】
従って、操作者がＩＣカードを収容部から取り出す場合、操作者がＩＣカードをさらに同一方向に押圧操作した直後、その指をＩＣカードの端部から瞬時に離したとき、ＩＣカードがコイルスプリングの弾性力によりカード収容部から急峻に飛び出す虞がある。
【０００６】
斯かる場合、そのような不所望な飛び出しを回避するために例えば、カード収容部の一部を形成する金属製のカバー部材に一体に形成される弾性変位可能なブレーキ片の先端をＩＣカードの表面に当接させて生じる摩擦力により、飛び出しを回避する方法が提案されている。
【０００７】
また、ＩＣカードの飛び出しを回避するために特許文献２にも示されるように、ＩＣカードの着脱方向に移動可能に配されるイジェクト部材に、ＩＣカードを挟持するブレーキが設けられたものが提案されている。そのブレーキは、ＩＣカードをその厚さ方向に沿って挟持する一対の板バネを有している。これにより、ＩＣカードがカード収容部に装着されるとき、ＩＣカードの側部の一部がブレーキの一対の板バネによって挟持される。一方、ＩＣカードがカード収容部から排出されるとき、イジェクト部材がコイルスプリングの復元力により移動されるとともに、ＩＣカードの側部の一部がブレーキの一対の板バネによって挟持された状態でＩＣカードが排出方向に移動されるのでＩＣカードの飛び出しが回避されることとなる。
【０００８】
【特許文献１】特開２００４−３１１４１６号公報
【特許文献２】特開２００５−１９０９０８号公報
【発明の開示】
【発明が解決しようとする課題】
【０００９】
上述のように、ＩＣカードの排出速度がコイルスプリングの弾性力（ばね定数）に応じたものとなるＩＣカード用コネクタにおいては、ＩＣカード用コネクタに装着されるＩＣカードの形状の小型化に伴い、そのようなＩＣカード排出時の不所望な飛び出しを回避するために上述のような金属製のブレーキ片を設けるとともに、コイルスプリングのばね定数をより小さくする設計変更が要求されることとなる。
【００１０】
しかしながら、コイルスプリングのばね定数がより小さくなるように設計変更された場合、ＩＣカードの排出不良が発生する虞があるとともに、コイルスプリングの個体間のばらつきを考慮し、コイルスプリングのばね定数を生産上厳密に管理することも容易でない。また、ＩＣカードの形状の小型化に伴い、ＩＣカードの移動距離がより短くなるので上述のような金属製のブレーキ片の制動力にも限界がある。
【００１１】
さらに、上述のようにイジェクト部材に、ＩＣカードを挟持するブレーキが設けられたものにおいては、イジェクト機構の構造を複雑にする虞もある。従って、イジェクト機構の構造が複雑となることにより、ＩＣカード用コネクタが大型化することとなる。
【００１２】
以上の問題点を考慮し、本発明は、イジェクト機構により排出されるＩＣカードの排出動作を制動させるブレーキ片を有するＩＣカード用コネクタであって、イジェクト機構の構造を複雑にすることなく、ＩＣカードの形状の小型化に伴う不所望な飛び出しを確実に回避できるＩＣカード用コネクタを提供することを目的とする。
【課題を解決するための手段】
【００１３】
上述の目的を達成するために、本発明に係るＩＣカード用コネクタは、ＩＣカードを選択的に収容する収容部、および、ＩＣカードに電気的に接続されるコンタクト端子を有するハウジング部材と、ＩＣカードを選択的にハウジング部材の収容部から外部に排出するイジェクト機構と、ハウジング部材に形成され、イジェクト機構によりＩＣカードがハウジング部材の収容部から排出される状態のとき、ＩＣカードの排出動作を制動させる互いに材質の異なる複数の制動片とを備え、イジェクト機構によりＩＣカードが排出される場合、複数の制動片が該ＩＣカードを互いに協働して挟持することを特徴とする。
【発明の効果】
【００１４】
以上の説明から明らかなように、本発明に係るＩＣカード用コネクタによれば、イジェクト機構によりＩＣカードが排出される場合、ハウジング部材に形成される複数の制動片が該ＩＣカードを互いに協働して挟持するのでイジェクト機構の構造を複雑にすることなく、ＩＣカードの形状の小型化に伴う不所望な飛び出しを確実に回避できる。
【発明を実施するための最良の形態】
【００１５】
図２は、本発明に係るＩＣカード用コネクタの第１実施例の外観を示す。
【００１６】
図２に示されるＩＣカード用コネクタは、所定の電子機器、例えば、携帯電話機、ＰＤＡ、カメラ等の内部に配されるものとされる。
【００１７】
図２において、ＩＣカード用コネクタは、例えば、そのカード収容部１４に矢印の示す方向に沿って着脱可能に収容されるＩＣカードとしてのメモリカードＭＣ（図９参照）、例えば、ｍｉｎｉＳＤカード（商標）の電極部と所定の電子機器の内部に配される信号入出力用等の基板の接続端子部とを電気的に接続するものとされる。
【００１８】
板状のメモリカードＭＣは、後述されるコンタクト端子の配列に対応して複数の電極パッドが一方の表面部に形成されている。また、その両側部には、それぞれ、後述する切欠部が形成されている。
【００１９】
ＩＣカード用コネクタは、収容されるメモリカードＭＣに対する電気的接続を行う複数のコンタクト端子等が配列されるベース部材１２と、ベース部材１２と協働してメモリカードＭＣのカード収容部を形成するカバー部材１０とを含んで構成されている。
【００２０】
門形状断面形状を有するカバー部材１０は、薄板の金属材料で形成されている。カバー部材１０の一方の側面部には、図２に示されるように、後述するベース部材１２の爪部がそれぞれ、係合される係合孔１０ａ，および１０ｂがその爪部に対応して形成されている。カバー部材１０の他方の側面部には、後述するベース部材１２の爪部がそれぞれ、係合される係合孔（不図示）が形成されている。
【００２１】
従って、カバー部材１０は、その各係合孔１０ａおよび１０ｂ、または図示されない他の係合孔と、ベース部材１２の各爪部とがそれぞれ係合されることにより、ベース部材１２に対し固定されることとなる。
【００２２】
また、図３に示されるように、カバー部材１０における両側面部を連結する上面部の左端には、後述するイジェクト機構におけるカムレバーを移動可能に支持する押さえバネ１０ｆが設けられている。弾性を有する押さえバネ１０ｆの基端部は、カバー部材１０に一体に形成されている。
【００２３】
また、カバー部材１０における上面には、押さえバネ１０ｆに隣接してブレーキ片１０ｅｂが形成されている。第１のブレーキ片としてのブレーキ片１０ｅｂの基端部は、カバー部材１０に一体に形成されている。ブレーキ片１０ｅｂは、例えば、図３に示されるように、カバー部材１０の一部がプレス加工によりその内側に向けて打ち抜かれて形成されている。従って、カバー部材１０におけるブレーキ片１０ｅｂの周囲には、開口１０ｄが形成されている。ブレーキ片１０ｅｂは、メモリカードＭＣの表面に選択的に摺接する折曲部を弾性変位可能にその先端に有している。
【００２４】
また、ブレーキ片１０ｅｂに対して所定距離、離隔して略平行にブレーキ片１０ｅａが
、図３に示されるように、カバー部材１０の上面の右端近傍に形成されている。第２のブレーキ片としてのブレーキ片１０ｅａは、例えば、図７および図８に示されるように、ブレーキ片１０ｃｂと同様に、カバー部材１０の一部がプレス加工によりその内側に向けて打ち抜かれて形成されている。  
従って、カバー部材１０におけるブレーキ片１０ｅａの周囲には、開口１０ｄが形成されている。ブレーキ片１０ｅａは、メモリカードＭＣの表面に選択的に摺接する折曲部を弾性変位可能にその先端に有している。
【００２５】
ベース部材１２におけるカード収容部１４は、図１に示されるように、上方、および、下方の一部と、後述するコンタクト端子固定部側とは反対側の端部とが、開口している。従って、上述のカバー部材１０によってベース部材１２が覆われることにより、図４に示されるように、カード収容部１４の一方の端部にメモリカードＭＣが挿入されるカードスロット１２ｗが形成されることとなる。
【００２６】
ベース部材１２は、例えば、成形樹脂材料で一体に成形されている。ベース部材１２は、メモリカードＭＣが着脱可能に収容されるカード収容部１４の両側部をそれぞれ形成する側壁１２ＲＷ、１２ＬＷと、コンタクト端子１６ａｉ（ｉ＝１〜１１）が配されるコンタクト端子固定壁部１２ＦＷとを含んで構成されている。
【００２７】
側壁１２ＬＷの外面には、図１に示されるように、爪部１２ａ、および１２ｂが上述のカバー部材の孔１０ａおよび１０ｂに対応して形成されている。また、側壁１２ＲＷの外面には、複数の爪部（不図示）が上述のカバー部材の孔に対応して形成されている。
【００２８】
側壁１２ＲＷおよび１２ＬＷに連なる底部には、図５に示されるように、略中央に複数のスリットＳＬｉが複数のコンタクト端子１６ａｉ（ｉ＝１〜１１）に対応して形成されている。
【００２９】
ベース部材１２のコンタクト端子固定壁部１２ＦＷには、複数のコンタクト端子１６ａｉ（ｉ＝１〜１１）が設けられている。例えば、１１本のコンタクト端子１６ａｉは、所定の相互間隔で側壁１２ＲＷ，１２ＬＷに対して略平行に配列されている。
【００３０】
コンタクト端子１６ａｉは、弾性を有しメモリカードＭＣのコンタクトパッドに当接し電気的に接続される接点部と、配線基板の電極部に半田付け固定され電気的に接続される半田付端子部と、その接点部と半田付端子部とを相互に連結し、ベース部材１２に固定される固定部とを含んで構成されている。薄板金属材料、例えば、バネ用燐青銅で作られるコンタクト端子１６ａｉの固定部は、図示が省略されるが、コンタクト端子固定壁部１２ＦＷに形成される溝に、コンタクト端子固定壁部１２ＦＷに形成される透孔を通じてメモリカードＭＣの挿入方向とは反対方向の側から圧入されることにより、ベース部材１２に固定されている。
【００３１】
側壁１２ＬＷの内側部分には、メモリカードＭＣをカード収容部１４内に保持するとともに、選択的にカード収容部１４から排出するイジェクト機構２４が設けられている。
【００３２】
イジェクト機構２４は、図１に示されるように、ベース部材１２に対し移動可能に支持されるイジェクタ部材２４Ｊと、ベース部材１２の内周部およびイジェクタ部材２４Ｊ相互間に介装され、イジェクタ部材２４ＪをメモリカードＭＣの排出方向に付勢するコイルスプリング２４Ｓと、メモリカードＭＣの着脱操作に応じてイジェクタ部材２４Ｊを選択的にベース部材１２に対し保持または解放する制御を行うイジェクト部材制御部２４Ｃと、を含んで構成されている。
【００３３】
コイルスプリング２４Ｓの一端は、図１に示されるように、ベース部材１２の内周部に支持され、コイルスプリング２４Ｓの他端は、イジェクタ部材２４Ｊ内の凹部に連結されている。
【００３４】
イジェクタ部材２４Ｊは、例えば、樹脂材料で成形され、ベース部材１２上にメモリカードＭＣの着脱方向に沿って摺動可能に支持されている。
【００３５】
また、イジェクタ部材２４Ｊは、挿入されたメモリカードＭＣの側部の段差部に係合される被係合部としてのカード受け部をカード収容部１４側の一端に有している。  
イジェクト部材制御部２４Ｃは、イジェクタ部材２４Ｊにおけるカバー部材１０の内面に対向して形成された略ハート形状のカム要素（ハートカム）と、ハートカムの周囲に形成された複数の段差部からなるレバー案内溝と、一方の端部が側壁１２ＬＷの孔に連結され、他方の端部がそのレバー案内溝に沿って摺動せしめられるホチキス針形状のカムレバーと、上述のカバー部材１０の押えバネ１０ｆ（図３参照）とを含んで構成されている。
【００３６】
押えバネ１０ｆは、カムレバーの屈曲された先端をレバー案内溝の案内面に対し摺接するように付勢するものとされる。
【００３７】
樹脂で成形されるハートカムは、カムレバーの一端部が選択的に係合する略Ｖ字状のカム面を有している。
【００３８】
レバー案内溝は、ハートカムの一方の傍を側壁１２ＬＷに沿って直線的に延在する第１の案内溝と、ハートカムの他方の傍を第１の案内溝の途中から分岐するように側壁１２ＬＷに向って斜めに延びた後、第１の案内溝に対し平行に延びる第２の案内溝と、カム面に対向する第１の案内溝の一端と第２の案内溝の一端との間であってカム面に対向する部分を連結する第３の案内溝とから形成されている。
【００３９】
第３の案内溝における第２の案内溝の一端側の端部と案内溝の一端との境界部分に段差部分が形成されている。
【００４０】
これにより、カムレバーの一端部は、イジェクト部材２４Ｊの動作に追従して第１の案内溝、第３の案内溝、および第２の案内溝を順次、経由して案内されることとなる。
【００４１】
また、側壁１２ＲＷには、メモリカードＭＣがカード収容部１４内に装着されたことを検出するカード検出スイッチ部２２が設けられている。カード検出スイッチ部２２における弾性変位可能な湾曲部は、メモリカードＭＣの側部に形成される切欠部に選択的に係合するものとされる。
【００４２】
さらに、樹脂で成形されたベース部材１２の底部における側壁１２ＲＷ側には、図１および図５に示されるように、第３のブレーキ片としての樹脂製のブレーキ片１２ＢＲが上述のブレーキ片１０ｅａの真下の位置に形成されている。ブレーキ片１２ＢＲの基端部は、ベース部材１２の底部に一体に形成されている。ブレーキ片１２ＢＲの周囲には、図６に拡大されて示されるように、開口１２ｂが形成されている。また、弾性変位可能なブレーキ片１２ＢＲの先端部は、図８に拡大されて示されるように、ベース部材１２の底部の開口１２ｂよりもカード収容部１４の内部の上方に向けて若干飛び出すように形成されている。これにより、メモリカードＭＣがカード収容部１４に挿入されるとき、メモリカードＭＣの右側の側端部近傍は、ブレーキ片１２ＢＲの先端部と上述のブレーキ片１０ｅａの先端部とで挟持され、その先端部に摺接することとなる。
【００４３】
このような構成において、メモリカードＭＣの装着にあたり、先ず、メモリカードＭＣの先端部がカードスロット１２ｗを通じてカード収容部１４内に挿入されるとき、メモリカードＭＣは、イジェクト部材２４Ｊのカード受け部がその一方の側面部に係合されるとともにさらに前進せしめられる。その際、ブレーキ片１０ｅａおよび１０ｅｂの先端部は、メモリカードＭＣの両側部の一方の表面に摺接状態とされる。
【００４４】
続いて、メモリカードＭＣがさらにイジェクト部材２４Ｊとともにコイルスプリング２４Ｓの付勢力に抗して押圧された後、その押圧力が解放されるとき、カムレバーの一端部は、第１の案内溝から離脱し第３の案内溝のカム面に係合される。従って、イジェクト部材制御部２４がイジェクタ部材２４Ｊを保持状態とする。
【００４５】
また、メモリカードＭＣは、メモリカードＭＣのコンタクトパッドとコンタクト端子１６ａｉとの接圧により、カード収容部１４内で保持され、かつ、メモリカードＭＣのコンタクトパッドとコンタクト端子１６ａｉとが当接され電気的に接続される。その際、図１０および図１１に示されるように、メモリカードＭＣは、ブレーキ片１０ｅａおよびブレーキ片１２ＢＲにより挟持されることとなる。また、カード検出スイッチ部２２における弾性変位可能な湾曲部が、メモリカードＭＣの切欠部に係合される。
【００４６】
一方、メモリカードＭＣがカード収容部１４から取り外される場合、先ず、装填されたメモリカードＭＣが若干さらに押し込まれる。その際、イジェクト部材２４Ｊが前進せしめられることにより、カムレバーの一端部がカム面から解放され、かつ、離脱されて第２の案内溝に移動せしめられるのでイジェクト部材２４Ｊがコイルスプリング２４Ｓの付勢力により後退せしめられる。従って、イジェクト部材制御部２４がイジェクタ部材２４Ｊを解放状態とする。
【００４７】
その際、コイルスプリング２４Ｓの付勢力により、移動せしめられるイジェクタ部材２４ＪおよびメモリカードＭＣは、その排出速度が、ブレーキ片１０ｅｂの制動力と、ブレーキ片１０ｅａおよびブレーキ片１２ＢＲによる挟持力に応じた摩擦力とにより減速せしめられることとなる。ブレーキ片１２ＢＲが挿入されたメモリカードＭＣの幅方向にイジェクト機構２４に相対向して形成されるのでコイルスプリング２４Ｓの付勢力に起因した回転モーメントによるメモリカードＭＣの傾きもブレーキ片１０ｅａおよびブレーキ片１２ＢＲによる挟持力により抑制されることとなる。
【００４８】
従って、イジェクタ部材２４ＪおよびメモリカードＭＣの排出速度が、減速された状態で、メモリカードＭＣが排出されるので不所望なメモリカードＭＣの急峻な飛び出しが確実に回避されることとなる。
【００４９】
図１２は、本発明に係るＩＣカード用コネクタの第２実施例の外観を示す。
【００５０】
図２に示される例においては、１枚のメモリカードＭＣが装着されるものとされるが、図１２に示される例においては、上述のメモリカードＭＣの他に、加えて、メモリカードＭＣよりもさらに小型サイズのメモリカードＳＭＣ、例えば、ＳＩＭ（subscriber identity module）カードも装着可能とされる。図１２に示されるＩＣカード用コネクタも、上述の例と同様に、所定の電子機器、例えば、携帯電話機、ＰＤＡ、カメラ等の内部に配される。
【００５１】
ＩＣカード用コネクタは、収容される二枚のメモリカードＭＣおよびメモリカードＳＭＣに対する電気的接続をそれぞれ行う複数のコンタクト端子群等が配列されるベース部材３２と、ベース部材３２と協働してメモリカードＭＣのカード収容部を形成するカバー部材３０とを含んで構成されている。
【００５２】
門形状断面形状を有するカバー部材３０は、薄板の金属材料で形成されている。カバー部材３０の一方の側面部には、図１２に示されるように、後述するベース部材３２の爪部がそれぞれ、係合される係合孔３０ａ，３０ｂおよび３０ｃがその爪部に対応して形成されている。カバー部材３０の他方の側面部には、図１４に示されるように、後述するベース部材３２の爪部がそれぞれ、係合される係合孔３０ｄ、３０ｅ，３０ｆ，３０ｇが形成されている。
【００５３】
従って、カバー部材３０は、その各係合孔３０ａ〜３０ｇと、ベース部材３２の各爪部とがそれぞれ係合されることにより、ベース部材３２に対し固定されることとなる。
【００５４】
また、図１３に示されるように、カバー部材３０における両側面部を連結する上面部の左端には、後述するイジェクト機構におけるカムレバーを移動可能に支持する押さえバネ３０ｆが設けられている。弾性を有する押さえバネ３０ｆの基端部は、カバー部材３０に一体に形成されている。
【００５５】
また、カバー部材３０における上面には、押さえバネ３０ｆに隣接してブレーキ片３０ｅｂが形成されている。第１のブレーキ片としてのブレーキ片３０ｅｂの基端部は、カバー部材３０に一体に形成されている。ブレーキ片３０ｅｂは、例えば、カバー部材１０の一部がプレス加工によりその内側に向けて打ち抜かれて形成されている。従って、カバー部材３０におけるブレーキ片３０ｅｂの周囲には、開口３０ｄが形成されている。ブレーキ片３０ｅｂは、メモリカードＭＣの表面に選択的に摺接する折曲部を弾性変位可能にその先端に有している。
【００５６】
また、ブレーキ片３０ｅｂに対して所定距離、離隔して略平行にブレーキ片３０ｅａが
、図１３に示されるように、カバー部材３０の上面の右端近傍に形成されている。第２のブレーキ片としてのブレーキ片３０ｅａは、例えば、図１７および図１８に示されるように、ブレーキ片３０ｅｂと同様に、カバー部材３０の一部がプレス加工によりその内側に向けて打ち抜かれて形成されている。    
従って、カバー部材３０におけるブレーキ片３０ｅａの周囲には、開口３０ｄが形成されている。ブレーキ片３０ｅａは、メモリカードＭＣの表面に選択的に摺接する折曲部を弾性変位可能にその先端に有している。
【００５７】
ベース部材３２におけるメモリカードＭＣ用のカード収容部は、図１６に示されるように、上方、および、下方の一部と、後述するコンタクト端子固定部側とは反対側の端部とが、開口している。従って、上述のカバー部材３０によりベース部材３２が覆われることにより、図１５に示されるように、カード収容部の一方の端部にメモリカードＭＣが挿入されるカードスロット３２ｗａが形成されることとなる。
【００５８】
ベース部材３２は、例えば、成形樹脂材料で一体に成形されている。ベース部材３２は、メモリカードＭＣが着脱可能に収納されるカード収容部の両側部をそれぞれ形成する側壁３２ＲＷ、３２ＬＷと、コンタクト端子３６ａｉ（ｉ＝１〜１１）が配されるコンタクト端子固定壁部３２ＦＷとを含んで構成されている。
【００５９】
側壁３２ＬＷの外面には、図１６に示されるように、爪部３２ａ、３２ｂ，および３２ｃが上述のカバー部材の孔３０ａ，３０ｂ，および３０ｃに対応して形成されている。また、側壁３２ＲＷの外面には、図１４に示されるように、複数の爪部３２ｄ〜３２ｇが上述のカバー部材の係合孔３０ｄ〜３０ｇに対応して形成されている。
【００６０】
側壁３２ＲＷおよび３２ＬＷに連なる中間壁部には、図１６に示されるように、略中央に複数のスリットが複数のコンタクト端子３６ａｉ（ｉ＝１〜１１）に対応して形成されている。その中間壁部は、後述するメモリカードＳＭＣ用のカード収容部の上部の壁を形成するとともに、メモリカードＭＣ用のカード収容部とメモリカードＳＭＣ用のカード収容部とを仕切る仕切壁ともなる。
【００６１】
ベース部材３２のコンタクト端子固定壁部３２ＦＷには、複数のコンタクト端子３６ａｉ（ｉ＝１〜１１）が設けられている。例えば、１１本のコンタクト端子３６ａｉは、所定の相互間隔で側壁３２ＲＷ，３２ＬＷに対して略平行に配列されている。
【００６２】
コンタクト端子３６ａｉは、弾性を有しメモリカードＭＣのコンタクトパッドに当接し電気的に接続される接点部と、配線基板の電極部に半田付け固定され電気的に接続される半田付端子部と、その接点部と半田付端子部とを相互に連結し、ベース部材３２の中間壁に固定される固定部とを含んで構成されている。薄板金属材料、例えば、バネ用燐青銅で作られるコンタクト端子３６ａｉの固定部は、図示が省略されるが、コンタクト端子固定壁部３２ＦＷに形成される溝に、コンタクト端子固定壁部３２ＦＷに形成される透孔を通じてメモリカードＭＣの挿入方向とは反対方向の側から圧入されることにより、ベース部材３２の中間壁部に固定されている。
【００６３】
側壁３２ＬＷの内側部分には、メモリカードＭＣをメモリカードＭＣ用のカード収容部内に保持するとともに、選択的にカード収容部から排出するイジェクト機構４４が設けられている。
【００６４】
イジェクト機構４４は、図１６に示されるように、ベース部材３２に対し移動可能に支持されるイジェクタ部材４４Ｊと、ベース部材３２の内周部およびイジェクタ部材４４Ｊ相互間に介装され、イジェクタ部材４４ＪをメモリカードＭＣの排出方向に付勢するコイルスプリング４４Ｓと、メモリカードＭＣの着脱操作に応じてイジェクタ部材４４Ｊを選択的にベース部材３２に対し保持または解放する制御を行うイジェクト部材制御部４４Ｃと、を含んで構成されている。
【００６５】
コイルスプリング４４Ｓの一端は、図１６に示されるように、ベース部材３２の内周部に支持され、コイルスプリング４４Ｓの他端は、イジェクタ部材４４Ｊ内の凹部に連結されている。
【００６６】
イジェクタ部材４４Ｊは、例えば、樹脂材料で成形され、ベース部材３２の中間壁部上にメモリカードＭＣの着脱方向に沿って摺動可能に支持されている。
【００６７】
また、イジェクタ部材４４Ｊは、挿入されたメモリカードＭＣの側部の段差部に係合される被係合部としてのカード受け部をカード収容部側の一端に有している。  
イジェクト部材制御部４４Ｃは、イジェクタ部材４４Ｊにおけるカバー部材３０の内面に対向して形成された略ハート形状のカム要素（ハートカム）と、ハートカムの周囲に形成された複数の段差部からなるレバー案内溝と、一方の端部が側壁３２ＬＷの孔に連結され、他方の端部がそのレバー案内溝に沿って摺動せしめられるホチキス針形状のカムレバーと、上述のカバー部材３０の押えバネ３０ｆ（図１３参照）とを含んで構成されている。
【００６８】
押えバネ３０ｆは、カムレバーの屈曲された先端をレバー案内溝の案内面に対し摺接するように付勢するものとされる。
【００６９】
樹脂で成形されるハートカムは、カムレバーの一端部が選択的に係合する略Ｖ字状のカム面を有している。
【００７０】
レバー案内溝は、ハートカムの一方の傍を側壁３２ＬＷに沿って直線的に延在する第１の案内溝と、ハートカムの他方の傍を第１の案内溝の途中から分岐するように側壁３２ＬＷに向って斜めに延びた後、第１の案内溝に対し平行に延びる第２の案内溝と、カム面に対向する第１の案内溝の一端と第２の案内溝の一端との間であってカム面に対向する部分を連結する第３の案内溝とから形成されている。
【００７１】
第３の案内溝における第２の案内溝の一端側の端部と案内溝の一端との境界部分に段差部分が形成されている。
【００７２】
これにより、カムレバーの一端部は、イジェクト部材４４Ｊの動作に追従して第１の案内溝、第３の案内溝、および第２の案内溝を順次、経由して案内されることとなる。
【００７３】
また、側壁３２ＲＷには、メモリカードＭＣがカード収容部内に装着されたことを検出するカード検出スイッチ部４２が設けられている。カード検出スイッチ部４２における弾性変位可能な湾曲部は、メモリカードＭＣの側部に形成される切欠部に選択的に係合するものとされる。
【００７４】
さらに、樹脂で成形されたベース部材３２の中間壁部における側壁３２ＲＷ側には、図１６および図１８に示されるように、第３のブレーキ片としての樹脂製のブレーキ片３２ＢＲが上述のブレーキ片３０ｅａの真下の位置に形成されている。ブレーキ片３２ＢＲの基端部は、ベース部材３２の中間壁部に一体に形成されている。ブレーキ片３２ＢＲの周囲には、図１９に拡大されて示されるように、開口３２ｂが形成されている。また、弾性変位可能なブレーキ片３２ＢＲの先端部は、図１８に拡大されて示されるように、ベース部材３２の中間壁部の開口３２ｂよりもカード収容部の内部の上方に向けて若干飛び出すように形成されている。これにより、メモリカードＭＣがカード収容部に挿入されるとき、メモリカードＭＣの右側の側端部近傍は、ブレーキ片３２ＢＲの先端部と上述のブレーキ片３０ｅａの先端部とで挟持され、その先端部に摺接することとなる。
【００７５】
また、ベース部材３２の中間壁部の下方には、メモリカードＳＭＣ用のカード収容部が、メモリカードＭＣの着脱方向に対し略直交する方向に延在するように形成されている。
メモリカードＳＭＣ用のカード収容部は、図１４に示されるように、メモリカードＳＭＣが通過するカードスロット３２ｗｂを一端に有している。また、メモリカードＳＭＣ用のカード収容部を形成する壁部であってカードスロット３２ｗｂに対向する部分には、複数のコンタクト端子３６ｂｉ（ｉ＝１〜６）が設けられている。例えば、６本のコンタクト端子３６ｂｉは、所定の相互間隔で側壁３２ＲＷ，３２ＬＷに対して略直交するように配列されている。
【００７６】
コンタクト端子３６ｂｉは、弾性を有しメモリカードＳＭＣのコンタクトパッドに当接し電気的に接続される接点部と、配線基板の電極部に半田付け固定され電気的に接続される半田付端子部と、その接点部と半田付端子部とを相互に連結し、ベース部材３２の底部に固定される固定部とを含んで構成されている。薄板金属材料、例えば、バネ用燐青銅で作られるコンタクト端子３６ｂｉの固定部は、図示が省略されるが、コンタクト端子固定壁部に形成される溝に、コンタクト端子固定壁部に形成される透孔を通じてメモリカードＳＭＣの挿入方向とは反対方向の側から圧入されることにより、ベース部材３２の底部に固定されている。
【００７７】
なお、メモリカードＳＭＣ用のカード収容部においては、上述のイジェクト機構４４のようなカード排出機構は備えられていない。即ち、メモリカードＳＭＣの排出は、その端部が把持された状態で挿入方向とは反対方向に強制的に引き抜かれることにより、行なわれることとなるので不所望な急峻なカードの飛び出しは起こらない。
【００７８】
このような構成において、メモリカードＭＣの装着にあたり、先ず、メモリカードＭＣの先端部がカードスロット３２ｗａを通じてカード収容部内に挿入されるとき、メモリカードＭＣは、イジェクト部材４４Ｊのカード受け部がその一方の側面部に係合されるとともにさらに前進せしめられる。その際、ブレーキ片３０ｅａおよび３０ｅｂの先端部は、メモリカードＭＣの両側部の一方の表面に摺接状態とされる。
【００７９】
続いて、メモリカードＭＣがさらにイジェクト部材４４Ｊとともにコイルスプリング４４Ｓの付勢力に抗して押圧された後、その押圧力が解放されるとき、カムレバーの一端部は、第１の案内溝から離脱し第３の案内溝のカム面に係合される。従って、イジェクト部材制御部４４がイジェクタ部材４４Ｊを保持状態とする。
【００８０】
また、メモリカードＭＣは、メモリカードＭＣのコンタクトパッドとコンタクト端子３６ａｉとの接圧により、カード収容部内で保持され、かつ、メモリカードＭＣのコンタクトパッドとコンタクト端子３６ａｉとが当接され電気的に接続される。その際、メモリカードＭＣは、ブレーキ片３０ｅａおよびブレーキ片３２ＢＲにより挟持されることとなる。また、カード検出スイッチ部４２における弾性変位可能な湾曲部が、メモリカードＭＣの切欠部に係合される。
【００８１】
一方、メモリカードＭＣがカード収容部から取り外される場合、先ず、装填されたメモリカードＭＣが若干さらに押し込まれる。その際、イジェクト部材４４Ｊが前進せしめられることにより、カムレバーの一端部がカム面から解放され、かつ、離脱されて第２の案内溝に移動せしめられるのでイジェクト部材４４Ｊがコイルスプリング４４Ｓの付勢力により後退せしめられる。従って、イジェクト部材制御部４４がイジェクタ部材４４Ｊを解放状態とする。
【００８２】
その際、コイルスプリング４４Ｓの付勢力により、移動せしめられるイジェクタ部材４４ＪおよびメモリカードＭＣは、その排出速度が、ブレーキ片３０ｅｂの制動力と、ブレーキ片３０ｅａおよびブレーキ片３２ＢＲによる挟持力に応じた摩擦力とにより減速せしめられることとなる。ブレーキ片３２ＢＲが挿入されたメモリカードＭＣの幅方向にイジェクト機構４４に相対向して形成されるのでコイルスプリング４４Ｓの付勢力に起因した回転モーメントによるメモリカードＭＣの傾きもブレーキ片３０ｅａおよびブレーキ片３２ＢＲによる挟持力により抑制されることとなる。
【００８３】
従って、イジェクタ部材４４ＪおよびメモリカードＭＣの排出速度が、減速された状態で、メモリカードＭＣが排出されるので不所望なメモリカードＭＣの急峻な飛び出しが確実に回避されることとなる。
【００８４】
なお、上述の例においては、本発明における一例が、メモリカードＭＣとしてｍｉｎｉＳＤカード（登録商標）が収容されるカード収容部にイジェクト機構が備えられる構成に適用されているが、斯かる例に限られることなく、例えば、ｘｐピクチャカード、ＭＭＣｍｉｃｒｏカード（登録商標）等の他のカードが収容されるカード収容部に他の形式の異なるカードイジェクト機構が備えられる構成に適用されてもよい。
【図面の簡単な説明】
【００８５】
【図１】本発明に係るＩＣカード用コネクタの第１実施例を、カバー部材を外した状態で示す斜視図である。
【図２】本発明に係るＩＣカード用コネクタの第１実施例の外観を示す斜視図である。
【図３】図２に示される例における平面図である。
【図４】図２に示される例における正面図である。
【図５】図２に示される例における底面図である。
【図６】図１における要部の部分拡大図である。
【図７】図３におけるＶＩＩ−ＶＩＩ線に沿って示される断面図である。
【図８】図７における要部を部分的に拡大した断面図である。
【図９】図２に示される例における動作説明に供される平面図である。
【図１０】図２に示される例における動作説明に供される断面図である。
【図１１】図１０における要部を部分的に拡大した断面図である。
【図１２】本発明に係るＩＣカード用コネクタの第２実施例の外観を示す斜視図である。
【図１３】図１２に示される例における平面図である。
【図１４】図１２に示される例における側面図である。
【図１５】図１２に示される例における正面図である。
【図１６】本発明に係るＩＣカード用コネクタの第２実施例を、カバー部材を外した状態で示す斜視図である。
【図１７】図１３におけるＸＶＩＩ−ＸＶＩＩ線に沿って示される断面図である。
【図１８】図１７における要部を部分的に拡大して示す断面図である。
【図１９】図１６における要部を部分的に拡大して示す斜視図である。
【符号の説明】
【００８６】
１０、３０    カバー部材
１２、３２    ベース部材
１０ｅａ，３０ｅａ    ブレーキ片
１２ＢＲ、３２ＢＲ    ブレーキ片
２４、４４    イジェクト機構
ＭＣ．ＳＭＣ    メモリカード
【図１】
2007123185.tif 000003
【図２】
2007123185.tif 000004
【図３】
2007123185.tif 000005
【図４】
2007123185.tif 000006
【図５】
2007123185.tif 000007
【図６】
2007123185.tif 000008
【図７】
2007123185.tif 000009
【図８】
2007123185.tif 000010
【図９】
2007123185.tif 000011
【図１０】
2007123185.tif 000012
【図１１】
2007123185.tif 000013
【図１２】
2007123185.tif 000014
【図１３】
2007123185.tif 000015
【図１４】
2007123185.tif 000016
【図１５】
2007123185.tif 000017
【図１６】
2007123185.tif 000018
【図１７】
2007123185.tif 000019
【図１８】
2007123185.tif 000020
【図１９】
2007123185.tif 000021